(57)【要約】【課題】自己撮影時に撮影画像を正確にイメージすることができるとともに、撮影直後にプリントを行うことができるカメラシステムを提供する。【解決手段】カメラシステム２を、小型のデジタルカメラ３と、携帯型プリンタ４とから構成する。デジタルカメラ３は携帯型プリンタ４に着脱自在である。携帯型プリンタ４には平面状のミラー３２を設ける。ミラー３２の反射面３２ａは、ＣＣＤイメージセンサ１８の受光面１８ａと相似の関係になっている。デジタルカメラ３を携帯型プリンタ４に装着すると、撮影レンズ１７のレンズ中心が反射面３２ａの中心線３３上に位置するとともに、反射面３２ａと受光面１８ａとが同じ姿勢をとる。【選択図】図１
2007124115.tif 000002
【特許請求の範囲】
【請求項１】
携帯型プリンタと、この携帯型プリンタに着脱自在に装着して携帯型プリンタを把持した状態で操作することができるデジタルカメラとから構成され、
前記携帯型プリンタに設けられ、自己撮影時に被写体を映し出すミラーと、
前記携帯型プリンタと前記デジタルカメラとの間でデータの授受を行う通信手段と、
前記ミラーに映し出される被写体を眺めながら前記デジタルカメラを操作して撮影された撮影画像の画像データを前記通信手段を介して取得し、この取得した画像データに基づいて前記携帯型プリンタ内に収納された記録媒体上に画像を記録する制御手段とを備えたことを特徴とするカメラシステム。
【請求項２】
前記通信手段は、前記携帯型プリンタ及び前記デジタルカメラの一方に設けられた接続部と、他方に設けられ前記接続部が挿入されて電気的に接続される被接続部とからなり、
前記接続部を前記被接続部に挿入して前記デジタルカメラを前記携帯型プリンタに装着したときに、前記デジタルカメラの撮影レンズのレンズ中心が、前記ミラーの反射面の中心線上に位置するようにしたことを特徴とする請求項１記載のカメラシステム。
【請求項３】
前記ミラーの反射面と前記デジタルカメラの固体撮像素子の受光面とは相似の関係にされるとともに、前記デジタルカメラの装着時に前記反射面と前記受光面とが同じ姿勢をとるようにされており、前記反射面に映し出された被写体範囲が撮影範囲とほぼ同じになるように構成されていることを特徴とする請求項１または２記載のカメラシステム。
【請求項４】
前記ミラーの反射面は前記記録媒体の記録領域と同じサイズにされ、前記反射面に映し出された被写体が同じサイズで前記記録領域に画像として記録されることを特徴とする請求項３記載のカメラシステム。
【請求項５】
前記デジタルカメラは撮影画角が広角と望遠との間で切り替え可能であって、前記撮影画角が望遠に設定されているときに前記ミラーの反射面上における撮影範囲を撮影者に認識させるための撮影範囲枠が設けられていることを特徴とする請求項１ないし４いずれか１項記載のカメラシステム。
【請求項６】
デジタルカメラが着脱自在な携帯型プリンタにおいて、
前記デジタルカメラを装着して自己撮影を行うときに被写体を映し出すミラーと、
前記デジタルカメラとの間でデータの授受を行う通信手段と、
前記ミラーに映し出される被写体を眺めながら前記デジタルカメラを操作して撮影された撮影画像の画像データを前記通信手段を介して取得し、この取得した画像データに基づいて携帯型プリンタ内に収納された記録媒体上に画像を記録する制御手段とを備えたことを特徴とする携帯型プリンタ。
【発明の詳細な説明】
【技術分野】
【０００１】
本発明は、小型なデジタルカメラが着脱自在とされた携帯型プリンタ及びカメラシステムに関する。
【背景技術】
【０００２】
ＣＣＤイメージセンサなどの固体撮像素子で撮像した被写体画像をデジタルの画像データに変換してメモリに記録するデジタルカメラが普及している。デジタルカメラは技術の進歩に伴って非常に小型になり、どこへでも携帯することができるようになっている。このようなデジタルカメラは、他人や風景などを撮影する以外にも、自分自身を撮影したり自分自身と友人とが一緒になっているところを撮影したりする、いわゆる自己撮影にも用いられるようになっている。
【０００３】
自己撮影は、デジタルカメラを把持した手を伸ばして撮影レンズを自分側に向け、この状態でレリーズボタンを押圧操作することにより行うことができる。しかしながら、この場合には、撮影者は被写体の構図を確認することができず、撮影画像は期待通りのものとならないことが多い。このため、従来においては、カメラの撮影レンズの近くにミラーを設け、このミラーの反射面に映し出される被写体を確認して撮影を行うのが一般的であった（例えば、特許文献１参照）。
【特許文献１】特開２００１−１４２１２５号公報
【発明の開示】
【発明が解決しようとする課題】
【０００４】
しかしながら、デジタルカメラには非常に小型のものがあり、このようなデジタルカメラにミラーを設けても、ミラーが小さいため被写体を十分に映し出すことができなかった。従来では、凸面状のミラーを用いることにより広い範囲を映し出すようにしたものが知られているが、このミラーでは被写体像が歪んでしまって綺麗に映し出すことが難しい。
【０００５】
ところで、近年では、デジタルカメラやカメラ付き携帯電話などからの画像データを受信してプリントを行うことができる携帯型プリンタが実用化されている。この携帯型プリンタは、例えば赤外線通信を用いてデジタルカメラから画像データを受信し、この画像データに基づいてプリンタ内に収納したインスタントフイルムに露光を行った後、現像液を画像記録領域に展開している。携帯型プリンタは、インスタントフイルムを収納する必要があることから、一般的なデジタルカメラと比べてサイズが大きくなっている。
【０００６】
本発明では、上記事情を考慮してなされたものであり、小型なデジタルカメラと、このデジタルカメラが必要に応じて着脱される携帯型プリンタとからなり、自己撮影時に構図を正確に定めることができるとともに、撮影直後にプリントを行うことができるカメラシステムを提供することを目的とする。
【課題を解決するための手段】
【０００７】
本発明のカメラシステムは、携帯型プリンタと、この携帯型プリンタに着脱自在に装着して携帯型プリンタを把持した状態で操作することができる小型なデジタルカメラとから構成され、前記携帯型プリンタに設けられ自己撮影時に被写体を映し出すミラーと、前記携帯型プリンタと前記デジタルカメラとの間でデータの授受を行う通信手段と、前記ミラーに映し出される被写体を眺めながら前記デジタルカメラを操作して撮影された撮影画像の画像データを前記通信手段を介して取得し、この取得した画像データに基づいて前記携帯型プリンタ内に収納された記録媒体上に画像を記録する制御手段とを備えたことを特徴とする。
【０００８】
前記通信手段は、前記携帯型プリンタ及び前記デジタルカメラの一方に設けられた接続部と、他方に設けられ前記接続部が挿入されて電気的に接続される被接続部とからなり、前記接続部を前記被接続部に挿入して前記デジタルカメラを前記携帯型プリンタに装着したときに、前記デジタルカメラの撮影レンズのレンズ中心が、前記ミラーの反射面の中心線上に位置するようにすることが好ましい。ここで、ミラーの反射面の中心線とは、携帯型プリンタを把持してデジタルカメラの撮影レンズを被写体に向けたときに、上下方向に延びる線であり反射面の中心点を通る線である。これにより、ミラーの被写体像と撮影画像とは左右方向でパララックスがなくなる。
【０００９】
前記ミラーの反射面と前記デジタルカメラの固体撮像素子の受光面とは相似の関係にされるとともに、前記デジタルカメラの装着時に前記反射面と前記受光面とが同じ姿勢をとるようにされており、前記反射面に映し出された被写体範囲が撮影範囲とほぼ同じになるように構成されていることが好ましい。これにより、反射面に映し出された被写体範囲が撮影範囲となることから、撮影者は自己撮影時に構図を正確に定めることができる。
【００１０】
前記ミラーの反射面は前記記録媒体の記録領域と同じサイズにされ、前記反射面に映し出された被写体が同じサイズで前記記録領域に画像として記録されることが好ましい。これにより、反射面の被写体像と同じサイズで記録領域に画像が記録されることとなるから、撮影者は自己撮影時にプリント後の画像のサイズを正確に確認することができる。
【００１１】
前記デジタルカメラは撮影画角が広角と望遠との間で切り替え可能であって、前記撮影画角が望遠に設定されているときに前記ミラーの反射面上における撮影範囲を撮影者に認識させるための撮影範囲枠が設けられていることが好ましい。撮影者は撮影範囲枠に基づいて反射面上における撮影範囲が分かるから、撮影画角が変化する場合であっても構図を正確に定めることができる。
【００１２】
本発明は、デジタルカメラが着脱自在な携帯型プリンタに関し、前記デジタルカメラを装着して自己撮影を行うときに被写体を映し出すミラーと、前記デジタルカメラとの間でデータの授受を行う通信手段と、前記ミラーに映し出される被写体を眺めながら前記デジタルカメラを操作して撮影された撮影画像の画像データを前記通信手段を介して取得し、この取得した画像データに基づいて携帯型プリンタ内に収納された記録媒体上に画像を記録する制御手段とを備えたことを特徴とする。
【発明の効果】
【００１３】
本発明のカメラシステムによれば、小型なデジタルカメラを従来のように単体で使用する以外に、この小型なデジタルカメラを携帯型プリンタに装着してデジタル版インスタントカメラとして使用することが可能になる。携帯型プリンタには自己撮影を行うのに十分大きなミラーを設けることが可能であり、自己撮影時にミラーの被写体像を確認することにより、構図を正確に定めることができる。
【発明を実施するための最良の形態】
【００１４】
図１に示すカメラシステム２は、プリント機能を備えており、小型のデジタルカメラ３と、携帯型プリンタ４（以下、プリンタ４）とから構成される。デジタルカメラ３はプリンタ４に着脱自在である。デジタルカメラ３は単体で使用することもできるし、プリンタ４と組み合わせて使用することもできる。
【００１５】
デジタルカメラ３の下面にはＵＳＢコネクタ（接続部）１０が設けられている。このＵＳＢコネクタ１０はプリンタ４の上面に設けられたＵＳＢポート（被接続部）１１に挿入することができる。ＵＳＢコネクタ１０をＵＳＢポート１１に挿入すると、デジタルカメラ３がプリンタ４に対して固定されるとともに、デジタルカメラ３とプリンタ４とが電気的に接続されデータの授受が可能になる。
【００１６】
デジタルカメラ３には、上面に対して傾斜する傾斜面１２，１３が形成されている。この傾斜面１２，１３には、それぞれ撮影時に押圧操作されるレリーズボタン１４，１５が設けられている。レリーズボタン１４は例えば風景などを撮影する通常の撮影時に用いられ、レリーズボタン１５は自己撮影時に用いられる。ここで、自己撮影とは、自分自身を撮影したり自分自身と友人とが一緒になっているところを撮影したりすることを意味する。各レリーズボタン１４，１５は、ＵＳＢコネクタ１０とは反対側に位置することとなる。
【００１７】
デジタルカメラ３の前面には、ファインダ１６の対物側窓１６ａと、撮影レンズ１７とが設けられている。また撮影レンズ１７の背後には、ＣＣＤイメージセンサ１８が配置されている。このＣＣＤイメージセンサ１８の受光面１８ａは矩形状であり、受光面１８ａの長辺が上下方向に延びるようにして配置されている。デジタルカメラ３の背面には、電源ボタン１９と、ズーム操作部２０と、ファインダ１６の接眼側窓１６ｂとが設けられている（図３参照）。ズーム操作部２０は操作部材２１を有し、この操作部材２１をスライド移動させることで撮影画角を広角と望遠との間で切り替えることができる。
【００１８】
プリンタ４の前面４ａには、フイルム装填室（図示せず）を開閉するフイルムドア３０が設けられている。このフイルムドア３０を開放すると、フイルム装填室に、図２に示すインスタントフイルム３１を複数枚装填することができる。インスタントフイルム３１には画像が記録される画像記録領域３１ａが設けられている。この画像記録領域３１ａはＣＣＤイメージセンサ１８の受光面１８ａと相似の関係になっている。また、インスタントフイルム３１には現像液溜り３１ｂが設けられ、この現像液溜り３１ｂはインスタントフイルム３１が排出される際に押し潰されて画像記録領域３１ａへと展開されるものである。
【００１９】
フイルムドア３０には、平面状のミラー３２が設けられている。ミラー３２の反射面３２ａは、前述したＣＣＤイメージセンサ１８の受光面１８ａ、及びインスタントフイルム３１の画像記録領域３１ａと相似の関係になっており、さらに、画像記録領域３１ａと同じサイズになっている。
【００２０】
このミラー３２は、反射面３２ａの長辺が上下方向に延びるようにして配置されている。デジタルカメラ３をプリンタ４に装着したときには、ミラー３２とＣＣＤイメージセンサ１８とが同じ姿勢をとるように、つまり反射面３２ａの長辺が受光面１８ａの長辺と平行となるようにされる。さらに、デジタルカメラ３をプリンタ４に装着したときには、撮影レンズ１７のレンズ中心が、反射面３２ａの中心線３３上に位置するようになっている。ここで、ミラー３２の反射面３２ａの中心線３３とは、反射面３２ａの中心点を通り且つ上下方向に延びる線である。
【００２１】
ミラー３２の反射面３２ａには、撮影画角が望遠に設定されているときに、反射面３２ａ上における撮影範囲を撮影者に認識させるための撮影範囲枠３４が描かれている。なお、撮影画角が広角に設定されているときには、反射面３２ａ全体が撮影範囲となる。プリンタ４の下面には、インスタントフイルム３１を排出するフイルム排出口３５が設けられている。
【００２２】
図３に示すように、プリンタ４の背面４ｂにはグリップ３６，３７が設けられている。各グリップ３６，３７はゴム製であり、上下方向に延びるようにして設けられている。グリップ３６は通常の撮影時に例えば右手の親指に把持される。また、グリップ３７は自己撮影時に例えば右手の中指、薬指、及び小指に把持される。いずれの撮影時にも、プリンタ４を右手で把持した状態で人差し指が各レリーズボタン１４，１５に届くようにされている。
【００２３】
また、プリンタ４の背面４ｂには、ＩｒＤＡ送受信部３８、電源ボタン３９、リピートボタン４０、カウンタ４１が設けられている。ＩｒＤＡ送受信部３８は、ＩｒＤＡに準拠した赤外線通信を行うことが可能であり、例えば他のデジタルカメラやカメラ付き携帯電話などから画像データを受信することができる。リピートボタン４０は、前回のプリントと同様のプリントを行う際に操作されるものである。カウンタ４１は、プリンタ４に収納されているインスタントフイルム３１の残り枚数を表示するものである。
【００２４】
カメラシステム２の電気的構成を示すブロック図である図４に示すように、ＣＣＤイメージセンサ１８は、ＣＣＤ駆動部５０に接続され、このＣＣＤ駆動部５０によって駆動を制御されている。ＣＣＤイメージセンサ１８は、撮影レンズ１７によって受光面１８ａに結像した光学的な被写体画像を電気的な撮像信号に変換して出力する。撮像信号はアンプ５１で適当なレベルに増幅された後、Ａ／Ｄ変換器５２によってデジタル変換されて画像データとなる。この画像データは、画像処理部５３に入力されて、階調変換、ホワイトバランス補正、γ補正等の各種画像処理が施される。ズーム操作部２０が操作されると、撮影レンズ１７の一部のレンズが光軸方向で移動し、撮影画角が広角と望遠との間で切り替えられる。
【００２５】
デジタルカメラ用システム制御部５４では、プリンタ用システム制御部６０と交信を行いながら、デジタルカメラ３側の撮影処理などを管制している。デジタルカメラ用システム制御部５４には、レリーズボタン１４，１５が接続されている。デジタルカメラ３が装着された状態でレリーズボタン１４，１５のいずれかが押圧操作されたときには、画像処理が施された画像データがＵＳＢコネクタ１０及びＵＳＢポート１１を介してプリンタ４側へ送られ、この画像データがメモリ６１に書き込まれる。なお、デジタルカメラ３が単体で使用された場合には、画像データはデジタルカメラ３内のメモリ５５に書き込まれる。
【００２６】
ＩｒＤＡ送受信部３８で赤外線通信により他のデジタルカメラやカメラ付き携帯電話から画像データを受信した場合には、画像データはメモリ６１に書き込まれる。
【００２７】
プリンタ用システム制御部６０は、デジタルカメラ用システム制御部５４と交信を行いながら、プリンタ４側のプリント処理などを管制している。プリンタ用システム制御部６０には、電源ボタン３９、リピートボタン４０が接続されている。プリンタ用システム制御部６０では、デジタルカメラ３から画像データを受信するか、ＩｒＤＡ送受信部３８を介して画像データを受信するか、またはリピートボタン４０が操作されたときに、プリントを指示する。
【００２８】
プリンタ４には、インスタントフイルム３１を搬送する搬送機構６２が備えられ、この搬送機構６２は搬送機構駆動部６３によって制御される。搬送機構６２は、搬送ローラ及び展開ローラなどを有している。搬送ローラは、最も後面側にあるインスタントフイルム３１をフイルム排出口３５に向かって搬送する。展開ローラは、搬送されるインスタントフイルム３１を挟持することにより、インスタントフイルム３１に設けられた現像液溜り３１ｂを押し潰して画像記録領域３１ａに現像液を展開する。
【００２９】
また、プリンタ４には、インスタントフイルム３１に画像を書き込むプリントヘッド６４が備えられ、このプリントヘッド６４はヘッド駆動部６５によって制御される。プリントヘッド６４は、Ｒ（赤）、Ｇ（緑）、Ｂ（青）の発光色を持つ３色のＬＥＤ、光ガイド、及び液晶シャッタなどを有している。３色のＬＥＤは順に発光し、各色光は光ガイドを経てインスタントフイルム３１上に導かれる。ここで、光路の途中には液晶シャッタが配置されており、この液晶シャッタにより各色光の透過量が画像データに応じて制御される。各色光が照射されたインスタントフイルム３１上には、主走査方向（インスタントフイルム３１の幅方向）に延びる１ライン分の潜像が記録されることとなる。インスタントフイルム３１は主走査方向に直交する副走査方向に搬送され、このインスタントフイルム３１上には順次ラインが記録されてゆく。潜像が記録された領域に現像液が展開されると画像が顕在化する。
【００３０】
以下、上記構成による作用を説明する。まず、デジタルカメラ３をプリンタ４に装着せずに単体で使用した場合を説明する。デジタルカメラ３の電源ボタン１９を押圧すると電源がオンになって撮影が可能になり、レリーズボタン１４，１５のいずれかを押圧操作することにより撮影が行われる。撮影画像の画像データはメモリ５５に記録される。このデジタルカメラ３をＵＳＢコネクタ１０を介して他の機器に接続することにより、メモリ５５に記録された画像データを他の機器に送信して画像として表示したりプリントしたりすることが可能である。
【００３１】
次に、デジタルカメラ３をプリンタ４に装着して使用した場合を図５のフローチャートに沿って説明する。ＵＳＢコネクタ１０をＵＳＢポート１１に挿入すると、デジタルカメラ３がプリンタ４に対して固定されるとともに、デジタルカメラ３とプリンタ４とが電気的に接続される。プリンタ４の電源ボタン３９を押圧すると、デジタルカメラ３及びプリンタ４の電源がオンになり撮影が可能になる。
【００３２】
通常の撮影を行う場合には、例えば右手の親指で背面４ｂのグリップ３６を握り、中指、薬指及び小指で前面４ａを支え、人差し指をレリーズボタン１４にのせるようにする。このとき、ミラー３２の上方に撮影レンズ１７が位置するようにして携帯型プリンタ４を把持する。ファインダ１６を通して被写体を確認し、レリーズボタン１４を押圧操作すると、その時点における被写体画像の画像データが取得され、この画像データに画像処理が施された後にプリンタ４側へ自動的に送信され、一旦メモリ６１に記録される。メモリ６１に記録された画像データはプリントデータとされる。
【００３３】
一方、自己撮影を行う場合には、例えば右手の中指、薬指及び小指で背面４ｂのグリップ３７を握り、親指で前面４ａを支え、人差し指をレリーズボタン１５にのせ、撮影レンズ１７を自分自身に向けるようにする。このとき、ミラー３２の上方に撮影レンズ１７が位置するようにして携帯型プリンタ４を把持する。撮影画角を広角に設定した場合にはミラー３２の反射面３２ａ全体が撮影範囲となり、撮影画角を望遠に設定した場合にはミラー３２の反射面３２ａの撮影範囲枠３４内が撮影範囲となるため、撮影者はこれを考慮して構図を決定する。ミラー３２の反射面３２ａは十分大きく被写体が綺麗に映し出されるため撮影者は撮影時に正確に構図を定めることができる。なお、撮影画角を広角に設定した場合にはミラー３２の反射面３２ａに映し出された被写体が同じサイズでインスタントフイルム３１の画像記録領域３１ａに画像として記録されることから、撮影者は撮影時にプリント後の画像のサイズを正確にイメージすることができる。レリーズボタン１５を押圧操作すると、その時点における被写体画像の画像データが取得され、この画像データに画像処理が施された後にプリンタ４側へ自動的に送信され、一旦メモリ６１に記録される。メモリ６１に記録された画像データはプリントデータとされる。
【００３４】
デジタルカメラ３以外の撮影機器、例えば他のデジタルカメラやカメラ付き携帯電話などから赤外線通信により画像データを受信した場合には、この画像データがメモリ６１に記録され、この画像データがプリントデータとされる。さらに、画像データを受信せずに、リピートボタン４０が操作された場合には、メモリ６１に記録されている画像データ、つまり前回のプリントで用いられたものと同様の画像データがプリントデータとされる。
【００３５】
プリンタ４では、メモリ６１に記録された画像データに基づいてプリント処理を行う。搬送機構６２が駆動してインスタントフイルム３１の搬送が開始され、このインスタントフイルム３１の搬送に合わせてプリントヘッド６４により１ラインずつ潜像が記録されてゆく。この潜像が記録された領域には搬送に合わせて現像液が展開されて画像が顕在化されてゆき、プリント後のインスタントフイルム３１がフイルム排出口３５から排出される。撮影後に自動的にプリントが行われることとなり、撮影直後にすぐに写真を手にすることができる。再びプリントを行う場合には、上記動作が繰り返される。電源ボタン３９を押圧操作すると、デジタルカメラ３及びプリンタ４の各部の駆動が停止される。
【００３６】
上記実施形態では、撮影画像が縦長である場合に好適な構成であったが、撮影画像が横長である場合に好適となる構成にしてもよい。この場合には、ミラーを反射面の長辺が左右方向に延びるようにして配置するとともに、固体撮像素子を受光面の長辺が左右方向に延びるようにして配置する。また、上記実施形態では、デジタルカメラを携帯型プリンタの上面に装着するようにしたが、デジタルカメラの装着場所はこれに限られず任意の場所でよい。
【００３７】
上記実施形態では、ミラーの反射面とインスタントフイルムの画像記録領域とが同じサイズであったが、必ずしも同じサイズでなくてもよい。上記実施形態では、固体撮像素子としてＣＣＤイメージセンサを用いたが、他のイメージセンサであってもよい。
【００３８】
上記実施形態では、デジタルカメラは単体でも駆動する構成としたが、携帯型プリンタに装着することで駆動するような構成にしてもよい。この場合には、携帯型プリンタのバッテリやメモリなどを共有することができるため、デジタルカメラにこれらを備える必要がなくなり、デジタルカメラが非常に簡素な構造になり製造コストを大幅に下げることができる。
【００３９】
上記実施形態では、デジタルカメラとプリンタとの通信手段としてＵＳＢコネクタを用いたが、他のコネクタを用いてもよい。また、デジタルカメラに、電気的に接続するコネクタに替えて、プリンタに機械的に取り付け可能にする取付部を設けるとともに、無線通信手段例えばＩｒＤＡ送受信部を設け、このＩｒＤＡ送受信部を介して画像データを送るようにしてもよい。
【図面の簡単な説明】
【００４０】
【図１】デジタルカメラ及び携帯型プリンタの正面図である。
【図２】インスタントフイルムの概略図である。
【図３】デジタルカメラ及び携帯型プリンタの背面図である。
【図４】カメラシステムの電気的構成を示すブロック図である。
【図５】カメラシステムの各処理の流れを示すフローチャートである。
【符号の説明】
【００４１】
２  カメラシステム
３  デジタルカメラ
４  携帯型プリンタ
１０  ＵＳＢコネクタ
１１  ＵＳＢポート
１８  ＣＣＤイメージセンサ
１８ａ  受光面
３１  インスタントフイルム
３１ａ  画像記録領域
３２  ミラー
３２ａ  反射面
３３  中心線
３４  撮影範囲枠
【図１】
2007124115.tif 000003
【図２】
2007124115.tif 000004
【図３】
2007124115.tif 000005
【図４】
2007124115.tif 000006
【図５】
2007124115.tif 000007